(57)【特許請求の範囲】
【請求項１】
少なくとも１つの第１のチューナと第２のチューナと復調器とを備えた信号受信マルチチューナ・システムであって、
前記第１のチューナが、第１の受信信号の周波数を第１の変換周波数に変換するように適合化されており、前記第１のチューナが、第１の局部発振器周波数で動作する第１の局部発振器を有し、
前記第２のチューナが、第２の受信信号の周波数を第２の変換周波数に変換するように適合化されており、前記第２のチューナが、第２の局部発振器周波数で動作する第２の局部発振器を有し、
前記第２の局部発振器周波数が、前記第１の局部発振器周波数と連続的に時間と共に変化するオフセット周波数との和に等しく、前記復調器が、前記第２のチューナからの信号を復調するように適合化されている、前記信号受信マルチチューナ・システム。
【請求項２】
前記第１のチューナと前記第２のチューナが同一タイプである、請求項１に記載の信号受信マルチチューナ・システム。
【請求項３】
前記連続的に時間と共に変化するオフセット周波数が前記第２の受信信号のシンボル周波数に依存する、請求項１または２に記載の信号受信マルチチューナ・システム。
【請求項４】
前記連続的に時間と共に変化するオフセット周波数が三角波形に従って変化する、請求項１〜３のうちいずれか１項に記載の信号受信マルチチューナ・システム。
【請求項５】
前記連続的に時間と共に変化するオフセット周波数が連続レベルで変化する、請求項１〜４のうちいずれか１項に記載の信号受信マルチチューナ・システム。
【請求項６】
前記レベルの各々が、ロッキング時間の４倍よりも長い持続期間を有し、前記ロッキング時間が、前記第２の局部発振器の前記第２の局部発振器周波数のプログラミングから前記第２の局部発振器による前記第２の局部発振器周波数の送出までの最大時間である、請求項５に記載の信号受信マルチチューナ・システム。
【請求項７】
前記レベルの各々が、ロッキング時間の１０倍よりも短い持続期間を有し、前記ロッキング時間が、前記第２の局部発振器の前記第２の局部発振器周波数のプログラミングから前記第２の局部発振器による前記第２の局部発振器周波数の送出までの最大時間である、請求項５または６に記載の信号受信マルチチューナ・システム。
【請求項８】
前記レベルの各々によって誘導される周波数のジャンプと前記レベルの各々の持続期間との割合が、毎秒７ｋＨｚ未満かそれに等しい、請求項５〜７のうちいずれか１項に記載の信号受信マルチチューナ・システム。
【請求項９】
少なくとも１つの第１のチューナと第２のチューナと復調器とを備えた信号受信マルチチューナ・システムにおいて信号を受信する方法であって、
第１の受信信号の周波数を第１の変換周波数に変換するステップであって、前記第１のチューナが第１の局部発振器周波数で動作する第１の局部発振器を有する、該ステップと、
第２の受信信号の周波数を第２の変換周波数に変換するステップであって、前記第２のチューナが第２の局部発振器周波数で動作する第２の局部発振器を有する、該ステップと、
を含み、
前記第２の局部発振器周波数が、前記第１の局部発振器周波数と連続的に時間と共に変化するオフセット周波数との和に等しい、前記方法。
【請求項１０】
前記第２のチューナからの前記第２の受信信号を復調するステップを含む、請求項９に記載の方法。
【請求項１１】
前記復調するステップが、前記連続的に時間と共に変化するオフセット周波数を復調器に送信する少なくとも１つのステップを含む、請求項１０に記載の方法。
【発明の詳細な説明】
【技術分野】
【０００１】
本発明は、複数のチューナを有するデータ受信装置の分野に関し、さらに詳しくは、それらの複数のチューナ相互間のクロストークの低減に関する。
【背景技術】
【０００２】
マルチチューナ受信機は、特に、複数のオーディオビジュアル番組の、例えば地上波送信チャンネルおよび衛星送信チャンネルを介した受信に使用される。
【０００３】
それらのチューナの各々は、信号を復調して処理するために、周波数帯域内の信号搬送波周波数の選択を可能にする。
【０００４】
マルチチューナ受信機は、その入力構成がいかなるものであっても、重大な欠点がある。電磁放射が、チューナ相互間に生じて、干渉を引き起こす可能性がある。この現象は、クロストークとして知られている。
【０００５】
クロストークの問題は、特に、２つのチューナがＬＯ（Ｌｏｃａｌ  Ｏｓｃｉｌｌａｔｏｒ）と呼ばれる同一の変換周波数にチューニングされる時に、生じる。その時に、各々のチューナ出力部にそれぞれ接続されている復調器には、入力信号の低い電力レベルに対して、顕著な効率の低下が生じる。
【０００６】
国際公開第２０１１００５３８２号の特許出願（「Ａｐｐａｒａｔｕｓ  ａｎｄ  ｍｅｔｈｏｄｓ  ｆｏｒ  ｍｉｎｉｍｉｚｉｎｇ  ｐｈａｓｅ  ｉｎｔｅｒａｃｔｉｏｎ  ｂｅｔｗｅｅｎ  ｍｕｌｔｉｐｌｅ  ｔｕｎｅｒｓ  ｓｏｌｕｔｉｏｎｓ」という発明の名称で公開されている）には、特に、互いに隣接する２つのチューナ相互間のクロストークを制限することを目的とする方法が記載されている。この方法は、第１のチューナの局部発振器の周波数が第２のチューナの局部発振器の周波数に等しい又は近いか否か、あるいは、一方の局部発振器の周波数と他方の局部発振器の高調波周波数との間に、干渉を生じさせ得る関係があるか否か、を検知することによって、干渉が予測される場合には、その一方又は他方のチューナ局部発振器に一定の周波数オフセットが設定される。
【０００７】
この方法は、チューナ出力信号の処理に使用される復調回路が、チューナ周波数がチャンネルの理論的な周波数に完全にはセンタリングされていない場合にも、正常に機能できることに依拠している。
【０００８】
確定チャンネルにチューニングされて、隣接する他のチューナに高調波を放射するチューナの局部発振器の周波数をオフセットすることによって、その高調波を著しく低減することもでき、また、回路構成がクロストーク現象を招き易い場合にも、互いに隣接する２つのチューナが正常に機能できる。
【０００９】
この技術は、実施するのが複雑であるという欠点を有している。
【発明の概要】
【００１０】
本発明は、マルチチューナ電子機器の少なくとも２つのチューナ相互間のクロストークを低減し、実施を簡単にすることで、従来技術の少なくとも１つの欠点を解消できる。より具体的には、本発明は、少なくとも第１のチューナと第２のチューナと復調器とを有する信号受信マルチチューナ・システムに関し、その第１のチューナが、第１の受信信号の周波数を第１の変換周波数に変換するように適合化されており、その第１のチューナが、第１の局部発振器周波数で動作する第１の局部発振器を有しており、その第２のチューナが、第２の受信信号の周波数を第２の変換周波数に変換するように適合化されており、その第２のチューナが、第２の局部発振器周波数で動作する第２の局部発振器を有している。
【００１１】
利点として、上記第２の局部発振器周波数が、上記第１の局部発振器周波数と、連続的に時間と共に変化するオフセット周波数との和に等しく、上記復調器が、第２のチューナからの信号を復調するように適合化されている。
【００１２】
本発明の一実施形態によれば、第１のチューナと第２のチューナは、同一タイプである。
【００１３】
本発明の一実施形態によれば、上記連続的に時間と共に変化するオフセット周波数は、第２の受信信号のシンボル周波数に依存する。
【００１４】
本発明の一実施形態によれば、上記連続的に時間と共に変化するオフセット周波数は、三角波形に従って変化する。
【００１５】
本発明の一実施形態によれば、連続的に時間と共に変化するオフセット周波数は、連続レベルで変化する。
【００１６】
本発明の一実施形態によれば、上記レベルの各々は、ロッキング時間の４倍よりも長い持続期間を有し、そのロッキング時間は、第２の局部発振器の第２の局部発振器周波数のプログラミングから第２の局部発振器による第２の局部発振器周波数の送出までの最大時間である。
【００１７】
本発明の一実施形態によれば、上記レベルの各々は、ロッキング時間の１０倍よりも短い持続期間を有する。
【００１８】
本発明の一実施形態によれば、上記レベルの各々によって誘導される周波数のジャンプとレベルの各々の持続期間との関係は、毎秒７ｋＨｚ未満かそれに等しい。
【００１９】
本発明は、また、少なくとも第１のチューナと第２のチューナとを少なくとも有する信号受信マルチチューナ・システムにおいて信号を受信する方法に関し、本方法は、第１の受信信号の周波数を第１の変換周波数に変換するステップであって、第１のチューナが第１の局部発振器周波数で動作する第１の局部発振器を有する、そのステップと、第２の受信信号の周波数を第２の変換周波数に変換するステップであって、第２のチューナが第２の局部発振器周波数で動作する第２の局部発振器を有する、そのステップと、を有しており、特徴として、第２の局部発振器周波数が、第１の局部発振器周波数と、連続的に時間と共に変化するオフセット周波数との和に等しい。
【００２０】
本発明の一実施形態によれば、上記方法は、上記第２のチューナからの第２の信号を復調するステップを有している。
【００２１】
本発明の一実施形態によれば、上記復調するステップは、連続的に時間と共に変化するオフセット周波数を復調器に送信する少なくとも１つのステップを含む。
【００２２】
次に述べる添付図面を参照する以下の説明によって、本発明がより良く理解でき、その他の固有の特徴と利点が明らかになる。
【図面の簡単な説明】
【００２３】
【図１】本発明の一実施形態に従うマルチチューナ受信システムを示す図である。
【図２】図１に示された受信システムによって使用される、２つのチューナーを有するレシーバ／デコーダ・タイプの受信装置を示す図である。
【図３ａ】図２に示された受信装置のチューナの構造の詳細を示す図である。
【図３ｂ】図３ａのチューナに実装される局部発振器モジュールＬＯ１とＬＯ２の詳細を示す図である。
【図４】本発明の一実施形態に従うレシーバ／デコーダ装置の第２のチューナの局部発振器の周波数の変化を示す図である。
【図５】図３ｂについて示された局部発振器を制御する方法を示す図である。
【発明を実施するための形態】
【００２４】
本発明のここでの説明において、「連続的に時間と共に変化するオフセット周波数」という表現を用いて説明するオフセット周波数の連続的な変化は、干渉現象（例えばクロストーク）が２つのチューナ相互間で起こり得ないほどに、持続期間が十分に短い連続ステップによって、２つの局部発振器周波数の１つが中心値付近で少なくとも間断なく変化することを意味している。
【００２５】
第１の実施形態によれば、上記連続ステップの値は、時間が経過しても同じである（そのステップの振幅が一定である）。
【００２６】
別の実施形態によれば、このステップは、時間の経過とともに幾つかの連続する値を取り得る。
【００２７】
局部発振器の周波数は、最も一般的には、レジスタへの書込みによってプログラミングされ、「連続的な」変化は、したがって、一連の個別の値に対応する。「連続的な変化」は、干渉現象が起きるのに十分なほど長い期間に亘って同一値を保つ局部発振器周波数とは対照的に、定義される。換言すれば、このように表現され、本発明の文脈において説明される周波数の「連続的な変化」は、干渉現象が起こり得ないほどに周期が十分に短い周期的変化に対応する。
【００２８】
なお、ある周波数が固定周波数と可変周波数との和に等しいという定義によって、１つの局部発振器周波数に関する変化が、他の局部発振器周波数を基準にして可能となるが、これは、第２の局部発振器周波数の再プログラミングの前毎に和を求める必要があるということをシステマティックに意味するのではなく、第２の局部発振器のプログラミング周波数が、第１の局部発振器周波数から規定される一定値（固定値）の付近（又は上側又は下側）で連続的に変化することを意味している。
【００２９】
図２、３ａ及び３ｂにおいて、図示のモジュールは、機能装置であるが、物理的に区別可能な装置の場合もあれば、そうでない場合もある。例えば、これらのモジュール、又は、その一部は、単一のコンポーネントにまとめることができ、あるいは、同一ソフトウェアの機能を構成できる。逆に、別の実施形態によれば、一部のモジュールは、個別の物理的なエンティティによって構成される。
【００３０】
概して、そして、非限定的な意味で述べると、本発明は、２つのチューナによって受信される信号が同一中心周波数で搬送される場合に、隣接するチューナとのクロストークを回避するための、チューナの局部発振器のプログラミング周波数変化のためのシステムに関する。
【００３１】
本発明の第１の実施形態によれば、上記チューナは、ＩＦ（中間周波数）を必要としない衛星波チューナである。局部発振器の周波数は、受信信号の送信チャンネルに対応する定格周波数である。
【００３２】
別の実施形態によれば、上記チューナが中間周波数を使用する場合、局部発振器の周波数は、中間周波数が加えられる定格周波数（送信チャンネルの理論的な周波数）に等しい。
【００３３】
図１には、本発明の第１の実施形態に従うマルチチューナ受信システムが示されている。このシステムは、衛星テレビジョンの受信装置１を含む。この受信装置１は、互いに独立した２つのチューナを有するレシーバ／デコーダである。これらの２つのチューナは、結線３と４を介してそれぞれ２つの衛星波受信アンテナ２に接続されている。
【００３４】
図２には、本発明の第１の実施形態に従う受信装置１が示されている。この受信装置１は、「フロントエンド」１０８と「バックエンド」１０９を有している。「フロントエンド」という名称は、１セットの特定の信号受信機能を意味し、「バックエンド」という名称は、受信信号の復号処理と、オーディオビジュアル番組の再生と、受信装置１の種々の部分の制御ロジック・セット及びコマンドとのためのその他の全ての有用な処理を確実にする１セットの機能を意味している。フロントエンド１０８は、マルチチューナ・タイプであり、２つの復調器１０３および１０４にそれぞれ対応付けられた２つのチューナ１０１および１０２を有する。入力結線３および４を介して受信された信号は、復調器１０３および１０４の出力部から、多重分離と復号処理とを行う制御及び処理部１０５に配信される。復号されたオーディオ成分とビデオ成分は、出力インタフェース・モジュール１０６に送信され、出力インタフェース・モジュール１０６は、処理装置および／または再生装置（図示せず）で受信番組の再生のための信号を配信する。
【００３５】
制御部１０５は、制御バス１０７を介して設定レジスタにおける書込みによって、種々のモジュールを設定する。本発明の第１の実施形態によれば、この制御バス１０７は、シリアル・バスＩ２Ｃ（フィリップスによって開発されたもの）、又は、例えば、アドレス・ライン、データ・ライン及び制御ラインを有するパラレル・バスのようなその他のインタフェース・バス・タイプである。
【００３６】
第１の実施形態によれば、チューナ１０１および１０２は、同一のタイプである。別の実施形態によれば、これらのチューナは、相異なるタイプである。チューナ・タイプに関して、チューナの種別分けは、受信信号の種類（衛星波、地上波、ケーブル）と送信チャンネルの性質とにより分かる。同一タイプのチューナは、同じ特性（例えばチャンネル幅）を有する送信チャンネルを介して送信された同一の種類の受信信号を受信するように構成されている。例えば、衛星を介する送信チャンネルに同調するように構成されたチューナを有するチューナは、「衛星波」タイプとして定義される。衛星送信チャンネルは、例えば９５０ＭＨｚから２１５０ＭＨｚの周波数帯域に属する。同じ論証に従って、地上波デジタル・テレビジョン（ＴＮＴ）の放送に使用される送信チャンネルに同調するように構成されたチューナを有するチューナは、「地上波」タイプとして定義される。
【００３７】
チューナ１０１および１０２が同一タイプであるということは、例えば、チューナ１０１が「衛星波」タイプのチューナであり、チューナ１０２も「衛星波」タイプのチューナであるということに相当する。「衛星波」タイプのチューナ１０１と「地上波」タイプのチューナ１０２の例は、チューナ１０１と１０２が相異なるタイプであるということに相当する。
【００３８】
図３ａには、受信装置１内に使用されるチューナ１０１および１０２の構成が示されている。本発明の第１の実施形態によれば、２つのチューナ１０１および１０２は、同一であり、各々、衛星トランスポンダからの９５０から２１５０ＭＨｚの周波数帯域を介する信号の受信専用である。本発明の別の実施形態によれば、受信装置１は、例えば衛星チューナと地上波チューナのような２つの相異なるチューナを有する。
【００３９】
チューナ１０１には、受信信号の品質を維持しながら、入力部における良好な信号レベルを保証するＬＮＡ（低雑音増幅器）１０１０が含まれている。次に、この信号は、この信号についての利得の自動調整を行うＡＧＣ（自動利得制御）モジュール１０１１によって処理される。次に、この信号は、フィルタ・モジュール１０１２によってフィルタリングされる。このフィルタ・モジュール１０１２は、チューナ１０１の選択した中心周波数付近の周波数帯域をフィルタリングし、局部発振器の２次および３次高調波の問題の解消を実現する一方、チューナ１０１の広帯域非線形特性の改善を可能にする。このフィルタは、時々、「イメージ・チャンネル・フィルタ」又は「アンチＨ２Ｈ３フィルタ」と呼ばれる。このようにしてフィルタリングされた信号は、次に、これ以降の記載においてＬＯ１と呼ぶ局部発振器１０１６を有する局部発振器モジュール１０１３に送られる。次に、この信号は、衛星送信でデジタル変調に使用される成分ＩとＱ、すなわち、同相成分と直交位相成分とに分離する２つの別個のブランチ（枝路）に入り、局部発振器１０１６からの信号と混合される。第１のブランチは、成分Ｉの抽出を可能にし、この信号を局部発振器信号と０度の位相で混合し、第２のブランチは、成分Ｑの抽出用であり、この信号を局部発振器信号と９０度の位相で混合する。成分ＩとＱの各々は、次に、低域通過フィルタ・モジュール１０１４によってフィルタリングされ、その後、出力モジュール１０１５に送られる。この出力モジュールは、成分ＩとＱを、差動フォーマットの形態で配信すべく、フォーマット化することによって、チューナの外部に在る復調モジュール（ここでは図示せず）に至る送信ラインに現れる可能性のあるノイズと干渉に対する耐性を確実に高める。更に、この出力モジュール自体も、成分ＩとＱが、チューナ１０１に対応付けられた復調器への入力として、安定したレベルで配信されることを可能にするＡＧＣを有する。
【００４０】
チューナ１０２の構造は、本発明のこの実施形態によれば、チューナ１０１のそれと同様である。チューナ１０２は、ＬＮＡモジュール１０２０、ＡＧＣモジュール１０２１、フィルタ・モジュール１０２２、ＬＯモジュール１０２３、低域通過フィルタ・モジュール１０２４、および、出力モジュール１０２５を有し、チューナ１０１の素子１０１０から１０１６と同様である。局部発振器モジュール１０２３は、局部発振器１０２６（ＬＯ２）を有する。
【００４１】
局部発振器モジュール１０１６および１０２６は、各々、局部発振器周波数（前述の如く、中心周波数と呼ぶ。）を設定するレジスタを有する。したがって、制御部１０５は、モジュール１０１３および１０２３のレジスタ内の局部発振器ＬＯ１およびＬＯ２の周波数に対応する値の書込みによってそれぞれのチューニングについて、チューナ１０１と１０２を設定する。（局部発振器によって）出力されるべき周波数に対応する値を局部発振器のレジスタに書込むことを、局部発振器のプログラミングと呼ぶ。
【００４２】
これ以降の説明では、局部発振器ＬＯ１の中心周波数をｆ0ＬＯ１、局部発振器ＬＯ２の中心周波数をｆ0ＬＯ２という。更に、チューナ１０１の局部発振器モジュール１０１６内のプログラミング周波数をｆＬＯ１、チューナ１０２の局部発振器モジュール１０２６内のプログラミング周波数をｆＬＯ２という。
【００４３】
本実施形態に該当するチューナＯ−ＩＦ（中間周波数のないチューナ）を使用する場合、中心周波数ｆ0ＬＯ１とｆ0ＬＯ２は、受信信号を搬送する送信チャンネルの周波数に対応する。プログラミング周波数ｆＬＯ１とｆＬＯ２は、制御部１０５が制御バス１０７を介して局部発振器モジュール１０１３と１０２３のレジスタに書き込む値に対応する。
【００４４】
図３ｂには、それぞれ、局部発振器周波数設定レジスタ１０１７（ＬＯ１用）と１０２７（ＬＯ２用）を有する局部発振器モジュールＬＯ１  １０１３とＬＯ２  １０２３が示されている。
【００４５】
レジスタ１０１７と１０２７は、制御バス１０７を介して、制御処理部１０５によって、設定される。
【００４６】
図４には、２つのチューナ１０１と１０２が同一周波数のチャンネルを介して搬送される信号を受信する場合の、本発明の第１の実施形態によるモジュール１０２３の局部発振器ＬＯ２のプログラミング周波数ｆＬＯ２の変化が示されている。制御部１０５は、単純にクロストークを回避するために、受信チャンネルの周波数が等しいことを検出して、連続的に時間と共に変化するオフセット周波数を局部発振器ＬＯ２の周波数に加える。
【００４７】
オフセット周波数を生成する上記時間と共に変化するオフセット周波数は、第２の局部発振器の周波数に付加されると、周波数ｆ0ＬＯ２とｆＬＯ２と、すなわち、それぞれ、第２のチューナ（チューナ１０２）が受信する信号を搬送する送信チャンネルの周波数と、第２のチューナ（やはりチューナ１０２）の第２の局部発振器のプログラミング周波数と、の絶対値の差分である。したがって、第１の局部発振器は第１の局部発振器周波数で動作し、第２の局部発振器は第２の局部発振器周波数で動作する。第２の局部発振器周波数は、第１の局部発振器周波数と連続的に時間と共に変化するオフセット周波数との和に等しい。
【００４８】
好ましくは、チューナ１０１と１０２の局部発振器の発振周波数は互いに異なる。これらの周波数が互いに等しいこと、または、発振器の周波数と隣接する発振器の周波数の高調波とが互いに近いことに関係するクロストーク現象は、回避あるいは低減される。
【００４９】
したがって、固定オフセット値を決定するために、発振器ＬＯ１とＬＯ２の周波数が互いに等しいことによって誘発されるクロストークに関係する性能の低下を評価する必要がない。
【００５０】
チャンネルの周波数が互いに等しいことの検出は、具体的には、チャンネルの周波数の１つが変更される時、例えば、受信装置１のユーザが、受信するオーディオビジュアル番組の変更を要求する時に、行なわれる。
【００５１】
プログラミング周波数ｆＬＯ２の変化は、連続するレベルによって生成される。これらのレベルは、局部発振器ＬＯ２の局部発振器周波数設定レジスタへの値の新たな書込みが行われるたびの後のｆＬＯ２の周波数におけるジャンプに対応する。
【００５２】
局部発振器ＬＯ２の周波数の変化によって、その中心周波数ｆ0ＬＯ２付近でエクスカーション（ずれ）が生じる。この変化は、局部発振器ＬＯ２の設定レジスタ１０２７への（反復的な）連続書込み入力によって実現される。本発明の第１の実施形態によれば、エクスカーションの限界を、低い方の値がｆＬＯ２ＭＩＮに等しく、高い方の値がｆＬＯ２ＭＡＸに等しく、
ｆＬＯ２ＭＩＮ＝ｆ0ＬＯ２−ｋ×ｌｓｂ、
ｆＬＯ２ＭＡＸ＝ｆ0ＬＯ２＋ｋ×ｌｓｂ、
と規定し、ここでｋは整数とする。
【００５３】
好ましくは、ｋを、中心周波数ｆ0ＬＯ２に対するｆＬＯ２の周波数におけるエクスカーションの最大値が、衛星波タイプのチューナに対してチャンネルのシンボル周波数ｆｓｙｍの１０％未満であるように規定する。
【００５４】
ｌｓｂは、局部発振器ＬＯ２の設定レジスタ１０２７の低重みビットの変更によって誘導される周波数変化に対応し、局部発振器ＬＯ２のＰＬＬ（位相ロック・ループ）の基本ステップ（素ステップ）である。
【００５５】
チューナ１０２の局部発振器モジュール１０２３の対応するレジスタ１０２７への書込みからの、プログラミング周波数に等しい周波数の安定した信号を送出するために、局部発振器ＬＯ２が必要とする最大応答時間がある。本発明の第１の実施形態によれば、この制約を考慮して、ｋの連続的変化（ｐｒｏｇｒｅｓｓｉｏｎ）は、好ましくは、１単位で、局部発振器ＬＯ２の位相ロック・ループの最大応答時間の少なくとも４倍に等しい周期性を有する。
【００５６】
換言すれば、第１の実施形態によれば、局部発振器ＬＯ２のレジスタ１０２７への局部発振器周波数ｆＬＯ２の新たな値（前に書込まれた値とは異なる値）の書込みによって誘導されるレベル毎に、周波数のジャンプΔｆＬＯ２と連続レベル持続期間ΔｔＬＯ２が生じる。
【００５７】
持続期間ΔｔＬＯ２は、局部発振器ＬＯ２の位相ロック・ループの最大アクイジション時間に近く、かつ、位相ロック・ループをアンロックする危険を冒さないようにマージンを確保する。局部発振器の通常の最大時間は、５０ｍｓである。第１の実施形態によれば、ΔｔＬＯ２は、以下のように規定される。
この例によれば、ΔｔＬＯ２＝４×５０ｍｓ＝２００ｍｓ
【００５８】
利点として、局部発振器ＬＯ１とＬＯ２との間でクロストーク現象が起きることを回避するために、各々のレベルは、位相ロック・ループの最大アクイジション時間の１０倍である最大持続期間ΔｔＬＯ２ｍａｘよりも短い持続期間を有する。すなわち、
ΔｔＬＯ２ｍａｘ＝１０×５０ｍｓ＝５００ｍｓ
【００５９】
差分（ｆ0ＬＯ２−ｆＬＯ２）の絶対値が、オフセット周波数である。オフセット周波数の最大値は、チューナ１０２のタイプに応じて、規定される。更に詳しく述べると、オフセット周波数の最大値は、受信信号のシンボル周波数の関数である。第１の実施形態によれば、チューナ１０２は「衛星波」タイプであり、オフセット周波数｜（ｆ0ＬＯ２−ｆＬＯ２）｜は、受信信号のシンボル周波数の１０％未満である。別の実施形態によれば、チューナ１０２は「地上波」タイプであり、オフセット周波数は、受信信号のシンボル周波数の５％未満である。
【００６０】
より一般的に述べると、上記時間と共に変化するオフセット周波数は、チューナ１０２によって受信される信号のシンボル周波数に依存する。詳しくは、オフセット周波数の最大値は、チューナ１０２によって受信される信号のシンボル周波数の割合（ｐｅｒｃｅｎｔａｇｅ）に対応する予め規定された値を有する。
【００６１】
本発明の第１の実施形態によれば、局部発振器ＬＯ２のレジスタ１０２７への新たな値の書込みによって誘導される周波数ΔｆＬＯ２のジャンプと、２つの連続する書込み相互間の期間（１つのレベルの持続期間）と、の割合は、毎秒７ｋＨｚに等しいかそれ未満である。
【００６２】
レジスタへの書込み後のＬＯ２の周波数ｆＬＯ２の値をＦ２とし、ｆＬＯ２の前の値をＦ１とし、レジスタ１０２７への２つの連続する書込みイベント相互間の経過時間（すなわち、１つのレベルの持続期間）をΔｔＬＯ２とすると、以下のように表せる。
（Ｆ２−Ｆ１）／ΔｔＬＯ２≦７ｋＨｚ／ｓ
【００６３】
したがって、復調器１０４は、依然として、チューナ１０２から受信される信号にロックされたままである。
【００６４】
本発明の第１の実施形態によれば、ｆＬＯ２の変化のグラフィック表現は三角波に相当する。
【００６５】
Ｔは、中心周波数付近の局部発振器のプログラミング値の完全なエクスカーション周期を表している。
【００６６】
本発明の第２の実施形態によれば、局部発振器の周波数エクスカーションを、中心周波数ｆ0ＬＯ２付近ではなく、中心周波数ｆ0ＬＯ２に一定値（固定値）を加えたものに対応する周波数付近に生じさせることができる。この一定値（固定値）によるオフセットが一方向のエクスカーション（ｋ×ｌｓｂの最大値）よりも大きい場合、局部発振器ＬＯ１とＬＯ２の周波数の厳密な一致は回避される。このエクスカーションは、ｆ0ＬＯ１とｆ0ＬＯ２が互いに等しい値である時に、必要である。このように可変的なオフセットに一定（固定）のオフセットを加えることは、発振器ＬＯ２の中心周波数ｆ0ＬＯ２のマージン上にある最大エクスカーションが、局部発振器ＬＯ２の周波数のドリフトに追従する第２のチューナ１０２に関連付けられている復調器の処理能力の限度内に留まっている場合にのみ、検討され得る。
【００６７】
別の実施形態によれば、周波数ｆＬＯ２の変化の波形は、正弦曲線、半円形、あるいは、チューナ１０２と復調器１０４が受信信号にロックされた状態のままであるような諸条件に適合する形である。
【００６８】
例えば、衛星を介して受信される信号の復調が干渉を被らないような局部発振器の周波数の最大ジャンプは、毎秒７ｋＨｚのオーダーである。
【００６９】
好ましくは、本発明の第３の実施形態によれば、制御部が、チューナ１０２に関連付けられた復調器１０４に、周波数ｆ0ＬＯ２（局部発振器ＬＯ２の中心周波数）とｆＬＯ２（局部発振器ＬＯ２のプログラミング周波数）との間に存在するオフセットを示すパラメータを送信する。これにより、復調を容易にし、また、復調の精度又は信頼性を高めることができる。
【００７０】
復調器１０４には、チューナ１０２がチューニングされるチャンネルの周波数と復調器の入力部で受信される信号の周波数との間のオフセットの計算モジュールが含まれている。この復調器は、このオフセットを、チューナがチューニングされるチャンネルの周波数の値を用いて計算し、この周波数自体は、再設定（例えば、受信装置１のチューナ１０２における受信チャンネルの変更）の度に、制御部１０５によって送信される。
【００７１】
別の実施形態によれば、復調器１０４には、オフセット値レジスタが含まれている。好ましくは、制御部１０５が、周波数ｆ0ＬＯ２（局部発振器ＬＯ２の中心周波数）とｆＬＯ２（局部発振器ＬＯ２のプログラミング周波数）との間の差分であるオフセット周波数の値を書込む。
【００７２】
さらに別の実施形態によれば、制御部１０５が、局部発振器ＬＯ２のプログラミング周波数である周波数ｆＬＯ２を復調器１０４のレジスタに書込む。これによって、受信信号のエネルギ・リカバリと搬送波リカバリと復調とのアルゴリズムが改善され、復調に固有の処理時間が最適化される。
【００７３】
図５は、チューナ１０１および１０２の２つの局部発振器についての制御方法を示す図である。
【００７４】
ステップ１は、例えば、受信装置１の起動に対応する初期化ステップである。局部発振器は制御されておらず、チューナはチャンネル周波数にチューニングされていない。
【００７５】
ステップ２は、第１のチューナによって受信される第１の信号の周波数を第１の変換周波数に変換する処理に関し、この第１のチューナは、第１の局部発振器周波数で動作する第１の局部発振器を有する。
【００７６】
受信装置１のチューナ１０１によって受信されるべき番組が選択された後、ステップ２において、制御部１０５が、局部発振器ＬＯ１の周波数に対応する値を、局部発振器モジュール１０１３のレジスタ１０１７に書込む。チューナ１０１における信号の受信について、チューナ１０１、復調器１０３、及び、更に広く受信装置１の設定に有用なその他の設定レジスタが設定される。
【００７７】
別の実施形態によれば、受信装置１を起動する場合、局部発振器モジュールＬＯ１のレジスタ１０１７にプログラミングされる値を、電源を切る、あるいは、スタンバイ状態にする前に、チューナ１０１によって受信された最後のチャンネルの受信について前にプログラミングされた局部発振器周波数の値に、対応させることができる。
【００７８】
ステップ３は、第２のチューナによって受信される第２の信号の周波数を第２の変換周波数に変換する処理に関し、この第２のチューナは、第２の局部発振器周波数で動作する第２の局部発振器を有する。第２の局部発振器周波数は、第１の局部発振器周波数と連続的に時間と共に変化するオフセット周波数との和に等しい。
【００７９】
受信装置１のチューナ１０２において（例えば受信装置１のユーザによって）受信されるべき番組が選択された後に、ステップ３において、制御部が、チューナ１０２において受信されるべき信号を搬送するチャンネルの局部発振器ＬＯ２の発振器周波数を、局部発振器ＬＯ１の周波数と比較する。これらの周波数が同一であるならば、制御部は、局部発振器モジュール１０２３のレジスタ１０２７を、受信されるべき信号を搬送する送信チャンネルの周波数に従って、プログラミングし、その直後に、局部発振器ＬＯ２の周波数が局部発振器ＬＯ１の周波数と連続的に時間と共に変化するオフセット周波数との和に等しくなるように局部発振器ＬＯ２の周波数の連続再プログラミングのサイクルを開始する。これを行なうために、制御部は、局部発振器ＬＯ２のプログラミング周波数ｆＬＯ２が、受信されるべきチャンネルに対応する局部発振器の中心周波数ｆ0ＬＯ２付近で変化することを可能にするアルゴリズムに従うルーチンを実行する。局部発振器モジュール１０２３のレジスタ１０２７においてプログラミングされる周波数ｆＬＯ２の変化は、図４に示されている。
【００８０】
この変化は、連続レベルで行われる。各々のレベルの持続期間はΔｔＬＯ２であり、これに対応付けられた周波数ｆＬＯ２のジャンプはΔｆＬＯ２である。
【００８１】
本発明の第１の実施形態によれば、値ｆ0ＬＯ２付近のプログラミング周波数エクスカーションｆＬＯ２は、局部発振器周波数ｆ0ＬＯ１とｆ0ＬＯ２が互いに等しい場合にのみ、生成される。
【００８２】
別の実施形態によれば、周波数ｆ0ＬＯ２のエクスカーションは、チューナ１０２で受信されるべき信号を搬送するチャンネルが何であっても、常に生成される。
【００８３】
本発明の第１の実施形態によれば、２つのチューナ１０１および１０２は、各々、結線３と４についての入力部を有する。
【００８４】
別の実施形態によれば、受信装置１は単一の入力部を有しており、結線３と４は、単一の入力信号を２つの結線３と４とへ分離した後に、確立される。
【００８５】
以上説明した本発明は、衛星波テレビジョン装置には限定されない。詳しくは、本発明は、ＲＦ（無線周波数）送信チャンネルで送信される信号のチューニングと抽出との機能を実施するモジュールと互いに干渉する可能性のある少なくとも２つの局部発振器モジュールとを有する任意のシステムにも関する。
【００８６】
本発明は、モジュール形態の複数のチューナ、あるいは、特定の回路に集積化された複数のチューナを使用する場合に正に同様に適用でき、その際、複数のチューナは、個別の集積回路内に在ってもよいし、あるいは、同一の集積回路内に収容されていてもよい。
【００８７】
別の実施形態によれば、局部発振器ＬＯ２の周波数の時間に対する変化は、前述のものとは異なる波形に対応し、例えば、正弦曲線の変化、あるいは、ランダムな変化である。ＬＯ２の周波数の変化は、特に、チューナ１０２に関連付けられた復調器１０４の特性とデータの復元を中断することなく受信信号を復調する復調器１０４の処理能力とによって制限される。詳しくは、この制約条件は、各々のレベルで誘導される周波数のジャンプと各々のレベルの持続期間との関係が毎秒７ｋＨｚ未満かそれに等しい時に、概ね満たされる。
【００８８】
さらに別の実施形態によれば、本発明は、非オーディオビジュアルのアプリケーションに対する受信、例えばマルチチューナ受信機が有用であるような、幾つかのＲＦチャンネルを介する無線電話通信や任意のデータの同時受信に適用できる。
【００８９】
またさらに別の実施形態によれば、本発明は、２つよりも多いチューナ（例えば３、４又は５つのチューナ）を有するマルチチューナ・システムによるデータの受信に適用できる。この場合、複数のチューナの局部発振器の周波数の変化は、それぞれの周波数が互いに異なるように、生じる。
【００９０】
またさらに別の実施形態によれば、第１の局部発振器の周波数は、一定（固定）の周波数と時間と共に変化する第１のオフセット周波数との和に等しく、第２の局部発振器の周波数は、第２の一定（固定）の周波数と時間と共に変化する第２のオフセット周波数との和に等しい。好ましくは、第１および第２の一定（固定）の周波数は同一値であってもよい。時間と共に変化する第１および第２のオフセット周波数は互いに異なる値である。
【００９１】
本発明は、上述のシステムに適合化される方法にも適用できる。この方法は、第１の実
施形態によれば、第１の局部発振器と第２の局部発振器との設定に適合化され、第２の局
部発振器の周波数が、第１の局部発振器の周波数と連続的に時間と共に変化するオフセッ
ト周波数との和に等しい。
本発明は以下の態様を含む。
（付記１）
少なくとも１つの第１のチューナ（１０１）と第２のチューナ（１０２）と復調器（１０４）とを備えた信号受信マルチチューナ・システムであって、
前記第１のチューナが、第１の受信信号の周波数を第１の変換周波数に変換するように適合化されており、前記第１のチューナ（１０１）が、第１の局部発振器周波数で動作する第１の局部発振器（１０１６）を有し、
前記第２のチューナ（１０２）が、第２の受信信号の周波数を第２の変換周波数に変換するように適合化されており、前記第２のチューナ（１０２）が、第２の局部発振器周波数で動作する第２の局部発振器（１０２６）を有し、
前記第２の局部発振器周波数が、前記第１の局部発振器周波数と連続的に時間と共に変化するオフセット周波数との和に等しく、前記復調器（１０４)が、前記第２のチューナ（１０２）からの信号を復調するように適合化されている、前記信号受信マルチチューナ・システム。
（付記２）
前記第１のチューナと前記第２のチューナが同一タイプである、付記１に記載の信号受信マルチチューナ・システム。
（付記３）
前記連続的に時間と共に変化するオフセット周波数が前記第２の受信信号のシンボル周波数に依存する、付記１または２に記載の信号受信マルチチューナ・システム。
（付記４）
前記連続的に時間と共に変化するオフセット周波数が三角波形に従って変化する、請求項１〜３のうちいずれか１項に記載の信号受信マルチチューナ・システム。
（付記５）
前記連続的に時間と共に変化するオフセット周波数が連続レベルで変化する、付記１〜４のうちいずれか１項に記載の信号受信マルチチューナ・システム。
（付記６）
前記レベルの各々が、ロッキング時間の４倍よりも長い持続期間を有し、前記ロッキング時間が、前記第２の局部発振器の前記第２の局部発振器周波数のプログラミングから前記第２の局部発振器による前記第２の局部発振器周波数の送出までの最大時間である、請求項５に記載の信号受信マルチチューナ・システム。
（付記７）
前記レベルの各々が、前記ロッキング時間の１０倍よりも短い持続期間を有する、請求項５または６に記載の信号受信マルチチューナ・システム。
（付記８）
前記レベルの各々によって誘導される周波数のジャンプと前記レベルの各々の持続期間との割合が、毎秒７ｋＨｚ未満かそれに等しい、付記５〜７のうちいずれか１項に記載の信号受信マルチチューナ・システム。
（付記９）
少なくとも１つの第１のチューナ（１０１）と第２のチューナ（１０２）と復調器（１０４）とを備えた信号受信マルチチューナ・システムにおいて信号を受信する方法であって、
第１の受信信号の周波数を第１の変換周波数に変換するステップであって、前記第１のチューナが第１の局部発振器周波数で動作する第１の局部発振器（１０１６）を有する、該ステップ（２）と、
第２の受信信号の周波数を第２の変換周波数に変換するステップであって、前記第２のチューナが第２の局部発振器周波数で動作する第２の局部発振器（１０２６）を有する、
該ステップ（３）と、
を含み、
前記第２の局部発振器周波数が、前記第１の局部発振器周波数と連続的に時間と共に変化するオフセット周波数との和に等しい、前記方法。
（付記１０）
前記第２のチューナからの前記第２の信号を復調するステップを含む、付記９に記載の方法。
（付記１１）
前記復調するステップが、前記連続的に時間と共に変化するオフセット周波数を前記復調器に送信する少なくとも１つのステップを含む、付記９または１０に記載の方法。
【図１】
0006014152.tif 000002
【図２】
0006014152.tif 000003
【図３ａ】
0006014152.tif 000004
【図３ｂ】
0006014152.tif 000005
【図４】
0006014152.tif 000006
【図５】
0006014152.tif 000007